(57)【要約】本発明は、ヤシのフラクション、竹のフラクション、水生植物のフラクション、熱帯樹のフラクション、乳、羽毛および尿および／またはミミズの排泄物を含む成分の混合物であって、前記成分が発酵された混合物、ならびに、その植物衛生組成物として、特に肥料としての利用、そして衛生組成物の製造に関する。【選択図】無し【特許請求の範囲】
【請求項１】
ヤシのフラクション、竹のフラクション、水生植物のフラクション、熱帯樹のフラクション、乳、羽毛および尿および／またはミミズの排泄物を含む成分の混合物であって、前記成分を発酵させた混合物。
【請求項２】
請求項１に記載の混合物であって、
発酵後において、ヤシのフラクションにはリポ酸が含まれ、
竹のフラクションには少なくとも１つの抗生物質の効果がある分子および／または殺虫活性を持つ分子が含まれており、
水生植物のフラクションにはプロバイオティクスと酵素が自然に含まれており、
熱帯樹のフラクションには酵素が自然に含まれている
ことを特徴とする混合物。
【請求項３】
請求項１または２に記載の混合物であって、
ヤシ、竹および熱帯樹のフラクションは、根、幹、枝、小枝、葉、果実、ヤシの樹皮、竹および熱帯樹の要素よりそれぞれ選択され、前記要素を混合したものである
ことを特徴とする混合物。
【請求項４】
請求項１〜３のいずれか１項に記載の混合物であって、
ヤシ、竹および熱帯樹のフラクションは、粉砕、乾燥、脱水、極度の乾燥、加熱、抽出、から選択される１つまたは複数の処理によって得られる
ことを特徴とする混合物。
【請求項５】
請求項１〜４のいずれか１項に記載の混合物であって、
熱帯樹は、メランチ、ジャティ、メルバウ、バンキライ、チーク、メンクラン、メラワン、バツおよびジャトクから選択される
ことを特徴とする混合物。
【請求項６】
請求項１〜５のいずれか１項に記載の混合物であって、
水生植物のフラクションは、根、茎、枝、葉、芽、花の要素およびそれらの要素の混合物から選択される
ことを特徴とする混合物。
【請求項７】
請求項１〜６のいずれか１項に記載の混合物であって、
水生植物のフラクションは、前記水生植物の全部または一部の抽出によって得ることができる
ことを特徴とする混合物。
【請求項８】
請求項１〜７のいずれか１項に記載の混合物であって、
水生植物は、レンチクル、藻類、浮葉植物、沈水植物、抽水植物、蓮、外来水生植物から選択される
ことを特徴とする混合物。
【請求項９】
請求項１〜８のいずれか１項に記載の混合物であって、
液体の形態または場合によって固体部分を含む
ことを特徴とする混合物。
【請求項１０】
請求項１〜９のいずれか１項に記載の混合物であって、
混合物１リットルにつき、ヤシのフラクションが３５〜３９ｇの質量含まれている
ことを特徴とする混合物。
【請求項１１】
請求項１〜１０のいずれか１項に記載の混合物であって、
混合物１リットルにつき、竹のフラクションが２４〜２８ｇの質量含まれている
ことを特徴とする混合物。
【請求項１２】
請求項１〜１１のいずれか１項に記載の混合物であって、
混合物１リットルにつき、水生植物のフラクションが１６〜２０ｇの質量含まれている
ことを特徴とする混合物。
【請求項１３】
請求項１〜１２のいずれか１項に記載の混合物であって、
混合物１リットルにつき、熱帯樹のフラクションが１５〜１９ｇの質量含まれている
ことを特徴とする混合物。
【請求項１４】
請求項１〜１３のいずれか１項に記載の混合物であって、
混合物１リットルにつき、乳が１４〜１８ｇの質量含まれている
ことを特徴とする混合物。
【請求項１５】
請求項１〜１４のいずれか１項に記載の混合物であって、
混合物１リットルにつき、羽毛が１６〜２０ｇの質量含まれている
ことを特徴とする混合物。
【請求項１６】
請求項１〜１５のいずれか１項に記載の混合物であって、
混合物１リットルにつき、尿および／またはミミズの排泄物が８０〜２００ｍｌの割合含まれている
ことを特徴とする混合物。
【請求項１７】
請求項１６に記載の混合物であって、
混合物１リットルにつき、３７．５〜３８．５ｇのヤシのフラクション、２６〜２７ｇの竹のフラクション、１７〜１８．５ｇの水生植物のフラクション、１５〜１６．５ｇの熱帯樹のフラクション、１５〜１６．５ｇの乳、１７．５〜１９ｇの羽毛および９０〜１００ｍｌの尿および／またはミミズ排泄物を含む
ことを特徴とする混合物。
【請求項１８】
請求項１〜１７のいずれか１項に記載の混合物を、有効成分として含む植物衛生組成物。
【請求項１９】
請求項１８に記載の植物衛生組成物であって、
前記混合物の液体部分のみを含む
ことを特徴とする植物衛生組成物。
【請求項２０】
請求項１〜１７のいずれか１項に記載の混合物を、植物肥料および／または土壌調整剤として使用する使用方法。
【請求項２１】
請求項１８または１９に記載の植物衛生組成物を調整する方法であって、
ヤシのフラクション３５〜３９ｇを、熱帯樹のフラクション１５〜１９ｇと混合し、その混合物を４〜８日間発酵させ、
次いで、攪拌しながら、竹のフラクション２４〜２８ｇを混合しながら添加し、その混合物を２〜６日間発酵させ、
次いで、撹拌しながら、水生植物のフラクション１６〜２０ｇを混合しながら添加し、その混合物を３〜７日間発酵させ、
次いで、撹拌しながら、乳１４〜１８ｇを混合しながら添加し、その混合物を３〜７日間発酵させ、
次いで、撹拌しながら、羽毛粉末１６〜２０ｇを混合しながら添加し、混合物を２〜６日間発酵させ、
次いで、撹拌しながら、尿およびミミズの排泄物の混合物１００ｍｌを添加し、
そして、その混合物を３０〜４５日間発酵させ、
好ましくは水、を加えて１リットルとし、
液体部分を回収する
ことを特徴とする植物衛生組成物の調整方法。
【請求項２２】
請求項２１に記載の調整方法によって得られる植物衛生組成物。
【発明の詳細な説明】
【技術分野】
【０００１】
本発明は、有機植物衛生組成物（ａｎ  ｏｒｇａｎｉｃ  ｐｈｙｔｏｓａｎｉｔａｒｙ  ｃｏｍｐｏｓｉｔｉｏｎ）に関する。
【背景技術】
【０００２】
この植物衛生組成物は、一般にすべての植物、特にマメ科植物および果樹に有効であり、それだけでなく、観賞植物および大型農作物にも有効である。これは、その葉の配列によるその植物の優先的な吸収方法のためである。
【０００３】
本発明の文脈において、植物衛生組成物または植物衛生処理は、主に肥料として機能し、それだけでなく農薬としても機能する。それは植物の生育に不可欠な栄養素を供給し、健康な植物のために利用することができる。それはまた、病気の植物および／または菌類、昆虫もしくは他の有害生物に感染した植物にも使用することができる。それは、上記の有害生物に対して直接的に作用し得るだけでなく、それらの病理学的状態を克服することを可能にする肥料活性を通じて間接的にも作用し得る。
【０００４】
無機肥料と比較して、有機肥料は、バイオマスや無尽蔵で且つ局所的に利用可能な資源を頼みにして、環境汚染の大きなリスクがなく、さらに土壌を豊かにするという利点がある。しかし、作物に投与される成分は、植物によって直接吸収されず、有機的な肥沃化は、上記成分の吸収可能な要素へ事前に変換されることが必要である。この変換は土壌に生息する微生物によって行われるが、その結果、栄養成分をコントロールするのが難しくなり、処理が遅くなる。
【０００５】
本発明によれば、植物衛生組成物は、前述の変換が既に関与したバイオマス由来の成分を含有する。
【０００６】
特許文献１には、発酵を経て、初期バイオマスの部分消化を生じさせ、それゆえ肥沃にされた植物による栄養成分の吸収を促進する、ヤシ、竹、モラン（ｍｏｒａｎ）またはインシア（ｉｎｔｓｉａ）、ウォーターヒヤシンスまたは水およびアラスカレンチル（ａｌａｓｋａ  ｌｅｎｔｉｌ）のフラクション（ｆｒａｃｔｉｏｎｓ）に基づいて、マメ科の作物を対象とした有機肥料について記載されている。
【０００７】
私たちは常に、より効果的で生物に吸収される（ｂｉｏａｓｓｉｍｉｌａｂｌｅ）肥料を探している。
【先行技術文献】
【特許文献】
【０００８】
【特許文献１】中国特許出願公開第１０４２３０４０３号明細書
【発明の概要】
【０００９】
本発明によれば、高い肥料活性を有し少なくとも部分的に消化されたバイオマス由来の成分の混合物（組み合わせ）（ａ  ｃｏｍｂｉｎａｔｉｏｎ）が提供される。
【００１０】
したがって、本発明の対象は、ヤシのフラクション、竹のフラクション、水生植物のフラクション、熱帯樹のフラクション、乳、羽毛および尿および／またはミミズの排泄物を含む成分の混合物であり、上記成分を発酵させたものである。各フラクションは、その要素を必然的にもたらす。その要素は、発酵の間、少なくとも部分的に、好ましくは全体的に変換され、従って、本発明に係る混合物においても、少なくとも部分的にまたは全体的に、植物によって吸収される形態で存在する。
【００１１】
本発明によれば、樹木のフラクションとは、特にヤシ、竹および熱帯樹、樹木の任意の要素のフラクション、特に根、幹、枝（ｂｒａｎｃｈ）、小枝（ｔｗｉｇ）、葉、果実、樹皮、ならびに上記要素の混合物を含む。上記樹木のフラクションは、粉砕、乾燥（ｄｒｙｉｎｇ）、脱水、極度の乾燥（ｄｅｓｉｃｃａｔｉｏｎ）、加熱、抽出、発酵から選択される１つまたは複数の処理によって得ることができる。
【００１２】
樹木のフラクションは、好ましくは、抽出によって得られる。
【００１３】
説明のために、樹木のフラクションを得るのに適した抽出方法を以下に示す。
【００１４】
前述の要素から選択された植物性原料は、例えば３００〜６００ｍｍの長さおよび２００〜４００ｍｍの幅の小片に切断される。そのかけらは、水を入れた抽出器に入れる。温度を約６５０〜８００℃に上げ、混合物を１２００〜１６００ｒｐｍの回転速度で約１２０〜１８０分間撹拌する。撹拌を停止し、温度を−４０℃〜−２５に下げる。混合物を再度１２００〜１６００ｒｐｍで約１２０〜１８０分間撹拌し、最後にそれを静置する。混合物から液体を抽出して精油を得る。その精油は好ましいフラクションである。
【００１５】
混合物における各フラクションの寄与は、より正確には以下のとおりである。
【００１６】
−  発酵後のヤシのフラクションにはリポ酸が含まれている。ヤシの好ましいフラクションは、木材、葉、果肉、果実茎（ｔｈｅ  ｆｒｕｉｔ  ｓｔａｌｋ）、植物油、加圧後の搾油機の残留物の、特に蒸留または圧搾による抽出によって得られる精油または精油である。
【００１７】
−  竹のフラクションには抗生物質の効果があり殺虫活性を持つ分子が含まれている。竹の好ましいフラクションは、木材、葉、芽、酢の、特に蒸留または圧搾による抽出、によって得られる精油または精油である。
【００１８】
−  水生植物のフラクションにはプロバイオティクスと酵素が自然に含まれている。
【００１９】
−  熱帯樹のフラクションには酵素が自然に含まれている。熱帯樹の好ましいフラクションは、例えば木材の、特に蒸留または圧搾による抽出よって得られる、精油または精油である。
【００２０】
ヤシのフラクションは、あらゆるヤシに由来するものでよく、特に、ナツメヤシ（ｔｈｅ  ｄａｔｅ  ｐａｌｍ）（またはフィニックス・ダクティリフィーラ（Ｐｈｏｅｎｉｘ  ｄａｃｔｙｌｉｆｅｒａ））、アブラヤシ（またはギニアアブラヤシ（Ｅｌａｅｉｓ  ｇｕｉｎｅｅｎｓｉｓ））、女王ヤシ（またはＳｙａｇｒｕｓ  ｒｏｍａｎｚｏｆｆｉａｎａ）、マウンテンパームの種（ｔｈｅ  ｐａｌｍ  ｋｅｒｎｅｌ  ｏｆ  ｔｈｅ  ｍｏｕｎｔａｉｎｓ）（またはプレトエア・モンタナ（Ｐｒｅｓｔｏｅａ  ｍｏｎｔａｎａ））、バンブーパーム（ｔｈｅ  ｂａｍｂｏｏ  ｐａｌｍ）（またはカンノンチク（Ｒｈａｐｉｓ  ｅｘｃｅｌｓａ））、ココスリナックスアルタ（Ｃｃｏｃｃｏｔｈｒｉｎａｘ  ａｌｔａ）などのココスリナックス属の種やパウロティス・ド・ライト（Ｐａｕｒｏｔｉｓ  ｄｅ  Ｗｒｉｇｈｔ）（またはアコエロラフェ・ライティー（Ａｃｏｅｌｏｒｒｈａｐｈｅ  ｗｒｉｇｈｔｉｉ））などのヤシ（Ａｒｃｅａｃｅａｅ）科のあらゆる植物から抽出することができる。
【００２１】
竹のフラクションは、あらゆる竹に由来するものでよく、特にあらゆるイネ科の植物に由来するものでよい。この種類では、ファルゲシアの群（ｔｈｅ  Ｆａｒｇｅｓｉａ  ｇｒｏｕｐ）があり、そのうちでファルゲシア・ニティダ（ｔｈｅ  Ｆａｒｇｅｓｉａ  ｎｉｔｉｄａ）が代表的である。フィロスタキス・ヌダ（ｔｈｅ  Ｐｈｙｌｌｏｓｔａｃｈｙｓ  ｎｕｄａ）のようなホテイチクの群（ｔｈｅ  Ｐｈｙｌｌｏｓｔａｃｈｙｓ  ｇｒｏｕｐ）や、ササラの群（ｔｈｅ  Ｓａｓａｌｅ  ｇｒｏｕｐ）や、他のあらゆる竹の種類でもよい。
【００２２】
熱帯樹とは、熱帯雨林を含む熱帯地方固有の樹木を意味する。本発明の有利な態様において、熱帯樹は、メランチ（ｍｅｒａｎｔｉ）、ジャティ（ｊａｔｉ）、メルバウ（ｍｅｒｂａｕ）、バンキライ（ｂｅｎｇｋｉｒａｉ）、チーク、メンクラン（ｍｅｎｇｋｕｌａｎｇ）、メラワン（ｍｅｒａｗａｎｇ）、バツ（ｂａｔｕ）およびジャトク（ｊｙａｔｏｋ）から選択される。
【００２３】
本発明によれば、植物のフラクション、特に水生植物とは、植物のあらゆる要素のフラクションであってよく、特に根、茎、枝、葉、芽、花およびそれらの要素の混合物であってもよい。植物のフラクションは、特に高温または低温での抽出、植物の全部または一部の抽出などによる、１つまたは複数の処理によって得ることができる。
【００２４】
水生植物または水生大型植物（ｍａｃｒｏｐｈｙｔｅ）とは、水中または水のある場所に住む能力を有する肉眼で見える植物を意味する。本発明の有利であるが限定されない態様において、水生植物は、レンチクル（ｔｈｅ  ｌｅｎｔｉｃｕｌｅｓ）、藻類、浮葉植物、沈水植物、抽水植物、蓮、外来水生植物から選択される。
【００２５】
乳とは、あらゆる哺乳類の乳であってよく、特にウシ科、ヤギ、羊であってよい。好ましくは、ヤギの乳である。
【００２６】
羽毛のフラクションは、特に鶏、アヒル、ガチョウ、および他のあらゆる鳥の羽から得ることができる。有利には、それは羽毛を粉砕した粉末の形態である。
【００２７】
本発明では、発酵とは、気体なしでの成分の熟成や微生物の代謝を意味する。
【００２８】
本発明に係る混合物とは、成分やより具体的には用いられる樹木や植物のフラクションによって、完全に液体の形態であってもよく、あるいは、固体部分を含んでいてもよい。
【００２９】
さらに、本発明の混合物は、好ましくは、以下の特徴を、単独又は組み合わせて有することが好ましい。
【００３０】
混合物１リットルにつき、ヤシのフラクションが３５〜３９ｇの質量含まれている。
【００３１】
混合物１リットルにつき、竹のフラクションが２４〜２８ｇの質量含まれている。
【００３２】
混合物１リットルにつき、水生植物のフラクションが１６〜２０ｇの質量含まれている。
【００３３】
混合物１リットルにつき、熱帯樹のフラクションが１５〜１９ｇの質量含まれている。
【００３４】
混合物１リットルにつき、乳が１４〜１８ｇの質量含まれている。
【００３５】
混合物１リットルにつき、羽毛が１６〜２０ｇの質量含まれている。
【００３６】
尿および／またはミミズの排泄物は、混合物１リットルにつき８０〜２００ｍｌの割合含まれている。
【００３７】
本発明の別の態様によれば、肥沃にする能力のため、混合物は、１リットルにつき、以下のような配合が好ましい：３７．５〜３８．５ｇのヤシのフラクション、２６〜２７ｇの竹のフラクション、１７〜１８．５ｇの水生植物のフラクション、１５〜１６．５ｇの熱帯樹のフラクション、１５〜１６．５ｇの乳、１７．５〜１９ｇの羽毛および９０〜１００ｍｌの尿および／またはミミズの排泄物。有利には、ヤシのフラクション、竹のフラクション、水生植物のフラクションおよび／または熱帯樹のフラクションは精油（ｅｓｓｅｎｃｅｓ）である。
【００３８】
本発明の別の対象は、有効成分として前述の本発明の混合物を含む、直接利用することができる植物衛生組成物である。好ましい態様において、より簡単で且つより適切な利用のため、植物衛生組成物は、上記の植物衛生組成物の混合物が固体部分を含んでいても、その液体部分のみからなる。
【００３９】
本発明はまた、植物肥料および／または土壌調整剤として前述のような本発明の混合物の使用に関する。
【００４０】
本発明の混合物は、植物の生育に必要なすべての栄養素を含む。さらに、これらの栄養素の移送は迅速である。処置された植物は、混合物の９５％のレベルでの吸収が観察される。
【００４１】
本発明はまた、本発明に係る植物衛生組成物の製造方法を提供する。
【００４２】
ヤシの精油３５〜３９ｇを、熱帯樹の精油１５〜１９ｇと混合し、その混合物を４〜８日間発酵させる。
【００４３】
次いで、攪拌しながら、竹の精油２４〜２８ｇを混合しながら添加し、その混合物を２〜６日間発酵させる。
【００４４】
次いで、撹拌しながら、１６〜２０ｇの水生植物の精油を混合しながら添加し、その混合物を３〜７日間発酵させる。
【００４５】
次いで、撹拌しながら、乳１４〜１８ｇを混合しながら添加し、その混合物を３〜７日間発酵させる。
【００４６】
次いで、撹拌しながら、羽毛粉末１６〜２０ｇを混合しながら添加し、その混合物を２〜６日間発酵させる
次いで、撹拌しながら、尿およびミミズの排泄物の混合物１００ｍｌを添加する。
【００４７】
そして、その混合物を３０〜４５日間発酵させる。
【００４８】
好ましくは水を加え、１リットルとする。
【００４９】
液体部分を回収する。
【００５０】
有利には、発酵を促進するために、溶媒は各段階で攪拌される。
【００５１】
好ましい植物衛生組成物は、上記の発酵に由来する液体部分からなる。好ましくは、この部分は、適切なろ過によって回収され、場合によっては灰および炭の残留物が除去技術によって補完的に除去される。上記組成物は、水で希釈した後、例えば１：１５０または１：３００、および任意の中間希釈後に使用することができる。
【００５２】
本発明はまた、上記の方法によって得ることができるであろうあらゆる混合物、特に前述の定義されたあらゆる混合物にも関する。
【発明を実施するための形態】
【００５３】
以下の実施例では、本発明の混合物を製造する方法を示す。
【実施例】
【００５４】
（実施例１）
−本発明に係る混合物および混合物の製造方法−
以下の成分の質量により混合物の１リットルを調整することができる。
【００５５】
ヤシの精油３８．３ｇを熱帯樹の樹皮の精油１５．８ｇと混合し、その混合物を５日間発酵させる。発酵を促進するために、培地を約２時間、８時間ごとに撹拌する。
【００５６】
５日後、２６．６ｇの竹の精油を混合しながら添加し、その混合物を２日間発酵させる。発酵を促進するために、培地を８時間ごとに約２時間撹拌する。
【００５７】
その２日間の終わりに、１７．９ｇの水生植物の精油を混合しながら添加し、その混合物を３日間発酵させる。発酵を促進するために、培地を８時間ごとに約２時間撹拌する。
【００５８】
その３日間の終わりに、ヤギの乳１５．８ｇを混合しながら添加し、その混合物を３日間静置する。発酵を促進するために、培地を８時間ごとに約２時間撹拌する。
【００５９】
その３日間の終わりに、１８．４ｇの鶏の羽の粉末を混合しながら添加し、その混合物を２日間発酵させる。発酵を促進するために、培地を８時間ごとに約２時間撹拌する。
【００６０】
その２日間の終わりに、尿およびミミズの混合物１００ｍｌを混合しながら添加する。
【００６１】
混合物を３０日間発酵させる。発酵を促進するために、培地を２日〜４日ごとに約４時間加熱する。
【００６２】
混合物を３０〜４５日間発酵させた後、水で１リットルにする。
【００６３】
本発明に係る植物衛生組成物を得るため、好ましくはろ過によって液体部分を回収する。
【００６４】
発酵段階は周辺温度で行われる。
【００６５】
（実施例２）
−本発明の組成物の有効性−
実施例１の組成物の有効性は、ガノデルマ・ゾナタム（Ｇａｎｏｄｅｒｍａ  ｚｏｎａｔｕｍ）に感染したヤシの木で評価される。ガノデルマ・ゾナタムは、ヤシが感染して根株心腐病（ｂｕｔｔ  ｒｏｔ）を引き起こす原因となる菌であり、土壌の菌によって放出される胞子によって広がる。周囲の樹木は、影響を受ける木の半径３ｋｍの範囲で汚染されており、それゆえ全体のプランテーションに影響を与える。
【００６６】
今日まで、ガノデルマ・ゾナタムによるそのような感染を制御する方法はなかった。
【００６７】
本実施例では、異なるレベルのガノデルマ・ゾナタム感染の、ボタン状のもの（ｉｎ  ｔｈｅ  ｆｏｒｍ  ｏｆ  ｂｕｔｔｏｎ）または胞子嚢（ｆｒｕｉｔｉｎｇ  ｂｏｄｙ）、および例えば複数の開いていない芽、黄色くなっていたり樹冠が小さくなっているなどの葉の症状などのガノデルマ・ゾナタムの症状を呈する１５のヤシについて評価した。
【００６８】
表１は、分析されたヤシの感染の段階を示す。
【００６９】
【表１】
2019515862.tif 000002
【００７０】
表１において、「ＳＷＢ」は小さな白いボタン（ｓｍａｌｌ  ｗｈｉｔｅ  ｂｕｔｔｏｎ）を意味し、「ＦＢ」は、胞子嚢（ｆｒｕｉｔｉｎｇ  ｂｏｄｙ）を意味する。また、「Ｙ」はイエロー（ｙｅｌｌｏｗ）、「ＬＧ」はライトグリーン（ｌｉｇｈｔ  ｇｒｅｅｎ）、「Ｇ」はグリーン（ｇｒｅｅｎ）を意味する。「房の数（Ｎｕｍｂｅｒ  ｏｆ  ｂｕｎｃｈ（ｅｓ））」の数字は、樹木にまだ最小限レベルで残っている実の房の数を示している。「垂れ下がった葉（Ｄｒｏｏｐｉｎｇ  Ｆｒｏｎｄｓ）」とは、ヤシの木がガノデルマ・ゾナタムに感染したときの葉を意味し、感染すると葉は落下し、茶色に変わり、最終的に死ぬ。
【００７１】
この研究は、以下のように６ヶ月間実施された。
【００７２】
実施例１で得られた組成物を、水で希釈して体積比１：１５０となるようにした。
【００７３】
本発明の組成物は、葉および根に噴霧することによって、場合によっては真菌に直接適用される。噴霧は、各樹木に対して、最初の８週間は２週間ごとに行い、次の４ヶ月間は１月ごとに行う。菌の感染があまりにも重度である場合には、処置を延長する場合がある。樹木に実がなると、噴霧を定期的に減少させる。
【００７４】
５回目の噴霧後、以下について観察する。
【００７５】
−  新たな根が現れ、成長しはじめ、樹木周辺の生命体が増える。
【００７６】
−  ヤシの芽が開き始める。
【００７７】
１０回目の噴霧後、以下について観察する。
【００７８】
−  新たな根が大きくなる。
【００７９】
−  花と果実が、処置した樹木の８０％にみられる。
【００８０】
これらの観察は、いかなる処置もしていない対照の感染樹木と比較される。
【００８１】
以下の表２で、８本の木についての結果が、観察した内容について示される。
【００８２】
【表２】
2019515862.tif 000003
【００８３】
組成は、ガノデルマ感染を根絶するだけでなく、木を生き生きとさせる。上記のように、影響を受けた樹木の果実について目に見える結果が得られ、処置の１年以内に木は元の形で果実を実らせることができる。
【００８４】
ガノデルマの病気は今日まで治療法がなく、プランテーションの４０〜５０％が感染する、ヤシ油プランターにとっての大きな問題の１つである。本実施例は、本発明の組成物がこの感染を克服するのに成功したことを示している。
【国際調査報告】
2019515862.tif 000004
2019515862.tif 000005
2019515862.tif 000006